(57)【要約】【課題】安価な構成で包装用ケースの圧縮強度を高めることにある。【解決手段】第一側板２及び第三側板４が対向し且つ第二側板３及び第四側板５が対向して上下方向に開放する矩形筒状のケース本体６と、第二側板３及び第四側板５の下端縁に連接された一対の底フラップ７と、第二側板３及び第四側板５の上端縁に連接された一対の蓋フラップ８と、第一側板２の上端縁及び下端縁にそれぞれ折り曲げ線を介して連接されて互いの先端面同士が当接する上側補強フラップ１１ｂ及び下側補強フラップ１１ａと、第三側板４の上端縁及び下端縁にそれぞれ折り曲げ線を介して連接されて、第三側板４に重なるようにケース内方側に折り曲げられて互いの先端面同士が当接する上側補強フラップ１２ｂ及び下側補強フラップ１２ａとを備えている。【選択図】図４
2019043599.tif 000002
【特許請求の範囲】
【請求項１】
シート材を折り曲げ線に沿って折り曲げて組み立てられる包装用ケースであって、
第一乃至第四側板からなり、第一側板及び第三側板が対向し且つ第二側板及び第四側板が対向して上下方向に開放する矩形筒状のケース本体と、
上記第二側板及び第四側板の下端縁にそれぞれ折り曲げ線を介して連接され、ケース内方側に折り曲げられることで底壁を形成する一対の底フラップと、
上記第二側板及び第四側板の上端縁にそれぞれ折り曲げ線を介して連接されて、ケース内方側に折り曲げられることとで天井壁を形成する一対の蓋フラップと、
上記第一側板の上端縁及び下端縁にそれぞれ折り曲げ線を介して連接されて、該第一側板に重なるようにケース内方側に折り曲げられて互いの先端面同士が当接する上側補強フラップ及び下側補強フラップと、
上記第三側板の上端縁及び下端縁にそれぞれ折り曲げ線を介して連接されて、該第三側板に重なるようにケース内方側に折り曲げられて互いの先端面同士が当接する上側補強フラップ及び下側補強フラップとを備えた包装用ケース。
【請求項２】
請求項１記載の包装用ケースにおいて、
上記第一側板及び上記第三側板の下端縁にそれぞれ折り曲げ線を介して連接され、ケース内方側に折り曲げられる一対の内側底フラップと、
上記第一側板及び上記第三側板の上端縁にそれぞれ折り曲げ線を介して連接され、ケース内方側に折り曲げられる一対の内側蓋フラップとを備え、
上記一対の底フラップは、上記一対の内側底フラップの下側に重なるように折り曲げられ、
上記一対の蓋フラップは、上記一対の内側蓋フラップの上側に重なるように折り曲げられ、
上記各上側補強フラップは、上記各内側蓋フラップをコ字状に切り欠いて該内側蓋フラップの基端縁に沿ってケース内方側に折り曲げることで形成され、
上記各下側補強フラップは、上記内側底フラップをコ字状に切り欠いて該内側底フラップの基端縁に素ってケース内方側に折り曲げることで形成される、包装用ケース。
【発明の詳細な説明】
【技術分野】
【０００１】
本発明は、包装用ケースに関する。
【背景技術】
【０００２】
従来より、 所定形状のシート材（例えば段ボール等）をその表面に形成された折り曲げ線に沿って折り曲げて箱形に組み立てられる包装用ケースは知られている（例えば、特許文献１参照）。
【先行技術文献】
【特許文献】
【０００３】
【特許文献１】特開２００５−１８７０４１号公報
【発明の概要】
【発明が解決しようとする課題】
【０００４】
上記特許文献１に示す従来の包装用ケースでは、ケースの圧縮強度を高めるために、シート材を高強度の材料に変更したり、ケースの側板に沿った枠状の補強部材を包装用ケース内に配置したりする場合がある。前者の場合には高価なシート材を使用する必要があり、後者の場合には補強部材を別途追加する必要がある。したがって、いずれの場合もコスト増加を招くという問題がある。
【０００５】
本発明は、かかる点に鑑みてなされたものであり、その目的とするところは、安価な構成で包装用ケースの圧縮強度を高めることにある。
【課題を解決するための手段】
【０００６】
本発明に係る包装用ケースは、シート材を折り曲げ線に沿って折り曲げて組み立てられる。
【０００７】
そして、第一乃至第四側板からなり、第一側板及び三側板が対向し且つ第二側板及び第四側板が対向して上下方向に開放する矩形筒状のケース本体と、上記第二側板及び第四側板の下端縁にそれぞれ折り曲げ線を介して連接され、ケース内方側に折り曲げられることで底壁を形成する一対の底フラップと、上記第二側板及び第四側板の上端縁にそれぞれ折り曲げ線を介して連接されて、ケース内方側に折り曲げられることとで天井壁を形成する一対の蓋フラップと、上記第一側板の上端縁及び下端縁にそれぞれ折り曲げ線を介して連接されて、該第一側板に重なるようにケース内方側に折り曲げられて互いの先端面同士が当接する上側補強フラップ及び下側補強フラップと、上記第三側板の上端縁及び下端縁にそれぞれ折り曲げ線を介して連接されて、該第三側板に重なるようにケース内方側に折り曲げられて互いの先端面同士が当接する上側補強フラップ及び下側補強フラップとを備えている。
【発明の効果】
【０００８】
本発明によれば、安価な構成で包装用ケースの圧縮強度を高めることができる。
【図面の簡単な説明】
【０００９】
【図１】図１は、実施形態における包装用ケースの組立完了状態を示す斜視図である。
【図２】図２は、実施形態における包装用ケースの展開図である。
【図３】図３は、実施形態における包装用ケースにおいて、ケース本体の下側を底フラップにより閉塞した後、上側補強フラップ及び下側補強フラップを折り曲げる途中の状態を示す斜視図である。
【図４】図４は、実施形態における包装用ケースにおいて、上側補強フラップ及び下側補強フラップの折り曲げが完了した状態を示す斜視図である。
【図５】図５は、実施形態２を示す図２相当図である。
【図６】図６は、実施形態２を示す図３相当図である。
【発明を実施するための形態】
【００１０】
以下、本発明の実施形態を図面に基づいて詳細に説明する。なお、本発明は、以下の実施形態に限定されるものではない。
【００１１】
《実施形態１》
図１は、実施形態における包装用ケース１を示す斜視図である。この包装用ケース１は、例えば、紙段ボールや、ポリプロピレン製のプラスチック段ボール（プラ段）からなるシート状の段ボール（シート材）を折り曲げて組み立てられている。
【００１２】
包装用ケース１は、組立状態では直方体状をなしている。包装用ケース１は、上下方向に開放する矩形筒状のケース本体６と、ケース本体６の下側開口を閉塞して底壁を形成する一対の底フラップ７と、ケース本体６の上側開口を閉塞して天井壁を形成する一対の蓋フラップ８とを有している。ケース本体６は、後述するように第一〜第四側板２〜５からなる。
【００１３】
図２は、包装用ケース１の展開図であり、第四側板５には、接着代部５ａが付設されている。第一側板２と第二側板３の境目、第二側板３と第三側板４の境目、第三側板４と第四側板５の境目、第四側板５と接着代部５ａとの境目には、それぞれ折り曲げ線９が形成されている。そして、第一〜第四側板２〜５及び接着代部５ａを４つの折り曲げ線９に沿ってそれぞれ折り曲げて、接着代部５ａを第一側板２の内面に糊付け等により接着することで内部に収容スペースを有するケース本体６が矩形筒状に組み立てられる。この組み立て状態では、第一側板２と第三側板４とが互いに対向し、第二側板３と第四側板５とが互いに対向している。第一側板２及び第三側板４は、各辺の長さが等しい正方形状をなしているのに対し、第二側板３及び第四側板５は、図２の左右方向に長い矩形状をなしている。
【００１４】
第二側板３及び第四側板５の一端縁（図１では下端縁）にはそれぞれ、上記底フラップ７が連接されている。第二側板３及び第四側板５と、各底フラップ７との境目には折り曲げ線１０が形成されている。
【００１５】
第二側板３及び第四側板５の一端縁に対向する他端縁（図１では上端縁）にはそれぞれ矩形状の蓋フラップ８が連接されている。第二側板３及び第四側板５と、各蓋フラップ８と境目には折り曲げ線１３が形成されている。
【００１６】
第一側板２の一端縁（図１では下端縁）には下側補強フラップ１１ａが連接され、第一側板２における該一端縁に対向する他端縁（図１では上端縁）には上側補強フラップ１１ｂが連接されている。同様に、第三側板４の一端縁（図１では下端縁）には下側補強フラップ１２ａが連接され、第三側板４における該一端縁に対向する他端縁（図１では上端縁）には上側補強フラップ１２ｂが連接されている。
【００１７】
下側補強フラップ１１ａと第一側板２との境目、及び下側補強フラップ１２ａと第三側板４の境目には、それぞれ折り曲げ線１４が形成されている。また、上側補強フラップ１１ｂと第一側板２との境目、及び上側補強フラップ１２ｂと第三側板４との境目には、それぞれ折り曲げ線１５が形成されている。
【００１８】
包装用ケース１を組立てる際には、上述した手順で矩形筒状のケース本体６を形成した後、下側補強フラップ１１ａ，１２ａを折り曲げ線１４に沿ってケース本体６内側に折り曲げ、一対の底フラップ７を該下側補強フラップ１１ａ，１２ａの下側から覆うようにケース本体６の内側（ケース内方側）に折り曲げる。その後、第一側板２に連接する下側補強フラップ１１ａ及び上側補強フラップ１１ｂを該第一側板２に重なるようにケース本体６の内側に折り曲げて互いの先端面同士を当接させる（図３及び図４参照）。また、第三側板４に連接する下側補強フラップ１２ａ及び上側補強フラップ１２ｂを該第三側板４に重なるようにケース本体６の内側に折り曲げて互いの先端面同士を当接させる。
【００１９】
ここで、第一側板２に連接された下側及び上側補強フラップ１１ａ，１１ｂのフラップ高さ、及び、下側及び上側補強フラップ１２ａ，１２ｂのフラップ高さは共にｈであり（図２参照）、第一側板２及び第三側板４の高さをＨとしたとき、ｈ＝１／２Ｈの関係を満たしている。そして、上記下側及び上側補強フラップ１１ａ，１１ｂの折り曲げが完了した状態では、互いの先端面同士が当接して摩擦により拘束される。同様に、上記下側及び上側補強フラップ１２ａ，１２ｂの折り曲げが完了した状態では、互いの先端面同士が当接して摩擦により拘束される。
【００２０】
そうして、下側及び上側補強フラップ１１ａ，１１ｂ及び下側及び上側補強フラップ１２ａ，１２ｂの折り曲げが完了した後は、一対の蓋フラップ８をそれぞれ折り曲げ線１３に沿ってケース本体６の内側に折り曲げて互いの先端面同士を突き合わせる。そしてこの状態で、一対の蓋フラップ８同士を粘着テープ等で固定することで包装用ケース１の組立作業が完了する。
【００２１】
以上説明したように、本実施形態の包装用ケース１では、下側及び上側補強フラップ１１ａ，１１ｂが第一側板２に重なるように折り曲げられて互いの先端面同士が当接することで、該両補強フラップ１１ａ，１１ｂが協働して一枚板状の補強板として機能する。同様に、下側及び上側補強フラップ１２ａ，１２ｂが第三側板４に重なるように折り曲げられて互いの先端面同士が当接することで、該補強フラップ１２ａ，１２ｂが協働して一枚板状の補強板として機能する。したがって、包装用ケース１内に枠状の補強部材等を別途挿入することなく、包装用ケース１の圧縮強度（特に高さ方向の圧縮強度）を向上させることができる。
【００２２】
《実施形態２》
図５は、実施形態２における包装用ケース１の展開図を示している。この実施形態２では、包装用ケース１は一対の内側底フラップ１６と、一対の内側蓋フラップ１７とを有している。
【００２３】
一対の内側底フラップ１６は、第一側板２及び第三側板４の一端縁（図１の下端縁）に折り曲げ線１４を介して連接されている。包装用ケース１の組立完了状態では、一対の底フラップ７が一対の内側底フラップ１６の下側から重なる。また、一対の内側蓋フラップ１７は、第一側板２及び第三側板４の他端縁（図１の上端縁）に折り曲げ線１５を介して連接されている。包装用ケース１の組立完了状態では、一対の蓋フラップ８が一対の内側蓋フラップ１７に上側から重なる。
【００２４】
下側及び上側補強フラップ１１ａ，１１ｂはそれぞれ、第一側板２に連接された内側底フラップ１６及び内側蓋フラップ１７の一部をコ字状に切り欠いて折り曲げ線１４，１５（つまり、内側底フラップ１６及び内側蓋フラップ１７の基端縁）に沿って折り曲げることで形成されている。
【００２５】
同様に、下側及び上側補強フラップ１２ａ，１２ｂはそれぞれ、第三側板４に連接された内側底フラップ１６及び内側蓋フラップ１７の一部をコ字状に切り欠いて折り曲げ線１４，１５に沿って折り曲げることで形成されている。
【００２６】
包装用ケース１の組立てに際して、第一側板２に連接された内側底フラップ１６及び内側蓋フラップ１７を略水平に保った状態で、下側及び上側補強フラップ１１ａ，１１ｂのみを該第一側板２に重なるように内側（図６の矢印の向き）に折り曲げて、下側及び上側補強フラップ１１ａ，１１ｂの先端面同士を当接させる。
【００２７】
同様に、第三側板４に連接された内側底フラップ１６及び内側蓋フラップ１７を略水平に保った状態で、下側及び上側補強フラップ１２ａ，１２ｂのみを該第三側板４に重なるように内側に折り曲げて、下側及び上側補強フラップ１２ａ，１２ｂの先端面同士を当接させる。
【００２８】
これにより上記実施形態１と同様の作用効果を得ることができる。また、一対の内側底フラップ１６及び内側蓋フラップ１７のうち、補強フラップ１１ａ，１１ｂ，１２ａ，１２ｂ以外の部分は、一対の底フラップ７及び一対の蓋フラップ８の補強用に利用することができる。よって、実施形態１に比べて包装用ケース１の圧縮強度をさらに向上させることができる。
【００２９】
尚、本実施形態２においても、実施形態１で説明したようにｈ＝Ｈ／２の関係を満たしていればよく、内側底フラップ１６及び内側蓋フラップ１７のケース内方側への突出量は如何なる大きさであってもよい。
【産業上の利用可能性】
【００３０】
以上説明したように、本発明は、包装用ケースについて有用である。
【符号の説明】
【００３１】
１      ：包装用ケース
２      ：第一側板
３      ：第二側板
４      ：第三側板
５      ：第四側板
６      ：ケース本体
７      ：底フラップ
８      ：蓋フラップ
９      ：折り曲げ線
１０    ：折り曲げ線
１１ａ  ：下側補強フラップ
１１ｂ  ：上側補強フラップ
１２ａ  ：下側補強フラップ
１２ｂ  ：上側補強フラップ
１３    ：折り曲げ線
１４    ：折り曲げ線
１５    ：折り曲げ線
１６    ：内側底フラップ
１７    ：内側蓋フラップ
【図１】
2019043599.tif 000003
【図２】
2019043599.tif 000004
【図３】
2019043599.tif 000005
【図４】
2019043599.tif 000006
【図５】
2019043599.tif 000007
【図６】
2019043599.tif 000008